(57)【特許請求の範囲】
【請求項１】
電源制御部と、制御部と、充電池と、自身の電話番号を入力する手段と、該電話番号入力手段から入力された電話番号を格納する電話番号格納手段と、を有する電話装置であって、
上記入力手段から自身の電話番号が入力されるまでは、上記電源制御部は、第１の電流値の電流を上記制御部へ供給し、上記入力手段から自身の電話番号が入力されると、上記電源制御部は、第２の電流値の電流を上記制御部へ供給することを特徴とする電話装置。
【請求項２】
請求項１記載の電話装置であって、上記第１の電流値は、上記第２の電流値よりも小さい値であることを特徴とする電話装置。
【発明の詳細な説明】
【０００１】
【産業上の利用分野】
本発明は電話装置に関する。
【０００２】
【従来の技術】
近年では、相手先と通話する機能だけでなく、１６和音のメロディーを演奏する機能やカラー表示機能等を搭載した携帯電話装置（以下、電話装置と称す）が販売されている。
【０００３】
このような携帯電話装置を工場で生産しユーザの手元に届くまでには、通常、まず工場にて予め充電された充電池を携帯電話装置に取り付け出荷し、携帯電話装置の販売店（以下、ショップと称す）にて電話装置に電話番号を書き込み、最終的にユーザの手元に届くこととなる。
【０００４】
【発明が解決しようとする課題】
ショップにおいて電話装置に電話番号を書き込む際に電池残量がなければ、電池を充電した後に電話装置に番号を書き込なければならない。
【０００５】
このような煩わしさを解決する為に出荷時に電池を満充電状態にすることも容易に考えられるが、例えばリチウムイオン電池では、電池を満充電状態で出荷して放電しないで長時間放置した場合、電池性能を劣化させることとなる。
【０００６】
一方、出荷時において電池を満充電時の例えば４０〜５０パーセントまで充電した状態で出荷すると、充電池内の電力が電話装置内部の各回路（例えば、電源回路や制御回路等）で消費されてしまい、電話装置へ電話番号を書き込む際にはすでに電池に電力が残されていないことがある。
【０００７】
【課題を解決するための手段】
本発明はこのような問題点を解決する為のものであり、
請求項１記載の発明は、電源制御部と、制御部と、充電池と、自身の電話番号を入力する手段と、該電話番号入力手段から入力された電話番号を格納する電話番号格納手段と、を有する電話装置であって、上記入力手段から自身の電話番号が入力されるまでは、上記電源制御部は、第１の電流値の電流を上記制御部へ供給し、上記入力手段から自身の電話番号が入力されると、上記電源制御部は、第２の電流値の電流を上記制御部へ供給することを特徴とする。
【０００８】
又、請求項２記載の発明は、請求項１記載の電話装置であって、上記第１の電流値は、上記第２の電流値よりも小さい値であることを特徴とする。
【０００９】
【発明の実施の形態】
図１は本発明を適用してなる実施例装置（電話装置）のブロック図である。
【００１０】
尚、送受信部や表示部等本発明と直接関係のない部分については説明を省略する。
【００１１】
図１において、制御部１００は、電話装置の制御を行うメインＣＰＵであり、上記制御部１００には、該制御部１００にクロック信号を供給する為の水晶発振子１０１が接続されている。
【００１２】
第１格納部１１０は、例えばフラッシュメモリ等から成り、上記制御部１００の制御プログラムが格納されている。
【００１３】
第２格納部１２０は、例えばＳＲＡＭ（Ｓｔａｔｉｃ  Ｒａｎｄｕｍ  Ａｃｃｅｓｓ  Ｍｅｍｏｒｙ）からなり、上記制御部１００が使用する各種パラメータやフラグ等を格納している。
【００１４】
又、上記第２格納部１２０は、該第２格納部１２０にバックアップ電源を供給する為の第１レギュレータ１３０が接続されている。
【００１５】
更に上記第１レギュレータ１３０は、上記第２格納部１２０のバックアップ用の２次電池１４０又は後述する電池１７０と接続されており、電池１７０からの電力供給がない場合には、上記２次電池１４０の電力を上記第２格納部１２０へ供給し、一方、上記電池１７０からの電力供給がある場合には、上記電池１７０の電力を上記第２格納部１２０へ供給する。
【００１６】
番号格納部１５０は、例えば書き換え自在なフラッシュメモリ等からなり、自身の電話番号を格納する。
【００１７】
番号入力部１６０は、ショップにて外部から自身の電話番号データを入力する為のインターフェースであり、制御部１００と接続されている。
【００１８】
電池１７０は、例えばリチウムイオン電池等からなり、図示せぬ充電器により充電することが可能である。
【００１９】
第２レギュレータ１８０は、後述する電源制御回路１９０の制御の下で、上記第１格納部１１０と番号格納部１５０と制御部１００とに供給する電源のオン、オフ動作や、上記電池１７０から入力した電流値を変換して出力する。
【００２０】
電源制御部１９０は、上記第２レギュレータ１８０の制御を行う
図２は、本実施例装置の動作を示すフロー図である。
【００２１】
以下に、本実施例装置の動作を制御部１００の動作に基づき説明する。
【００２２】
図２において、まずＳ１ステップでは、制御部１００が電池１７０から電力を供給し、電池が装着されたと判定するとＳ２ステップへ処理を進める。
【００２３】
Ｓ２ステップでは、制御部１００は、電池１７０から電力を入力した状態となり、Ｓ２ステップへ処理を進める。但し、この時制御部１００は、各種制御動作を行えない状態であるが、番号入力部１６０から自身の電話番号データが入力されたか否かの監視は行っている。
【００２４】
続くＳ３ステップでは、制御部１００は、番号入力部１６０から自身の電話番号データを入力したと判定すると、Ｓ４ステップへ処理を進め、一方、そうでなければＳ５ステップへ処理を進める。
【００２５】
Ｓ４ステップでは、制御部１００は、第２格納部１２０に格納されているフラグをオンすると共に、番号入力部１６０から入力された電話番号を番号格納部１５０に格納し、Ｓ６ステップへ処理を進める。
【００２６】
Ｓ５ステップでは、制御部１００は、第２格納部１２０に格納されているフラグを維持した状態でＳ６ステップへ処理を進める。
【００２７】
Ｓ６ステップでは、制御部１００は、上記第２格納部１２０に格納されているフラグがオン状態であるか否かを検索し、オン状態であると判定するとＳ８ステップへ処理を進め、一方、オフ状態であると判定するとＳ７ステップへ処理を進める。
【００２８】
Ｓ７ステップでは、制御部１００が電源制御回路１９０を制御することにより、第２レギュレータ１８０が第１の電流値（例えば、数μＡ〜十数μＡ程度）の電流を制御部１００と第１格納部１１０及び番号格納部１５０に供給するよう上記電源制御回路１９０が上記第２レギュレータ１８０を制御し、Ｓ２ステップへ処理を戻す。
【００２９】
尚、この時、制御部１００には、数μＡ〜十数μＡ程度の電流しか入力されていない為、上記制御部１００は、接続された水晶発振子１０１の動作に必要な電流しか消費しておらず、電池１７０からの電流は主に電源制御回路１９０と第２レギュレータ１８０のみで消費される。又、この時、電池１７０から装置内部の各回路へ送出される電流値の合計は、数十μＡ（例えば、２０μＡ）程度である。
【００３０】
又、Ｓ３、Ｓ５、Ｓ６〜Ｓ７ステップにおいて、電話装置に電話番号が入力されるまでは、上記第２格納部１２０に格納されているフラグはオフのまま維持される。
【００３１】
Ｓ８ステップでは、制御部１００が電源制御回路１９０を制御することにより、
第２レギュレータ１８０が第２の電流値（例えば、数百μＡ程度）の電流を制御部１００と第１格納部１１０及び番号格納部１５０に供給する。
【００３２】
尚、この時、制御部１００には、該制御部１００が動作可能な程度の電流（例えば、数百μＡ）が供給されており、電池１７０から電話装置内部の各回路へ流れる電流の合計値は、数百μＡ（例えば、３００μＡ）程度である。
【００３３】
更に、この後、ユーザが図示せぬ電源ボタンを押下することにより、電池からの電流が図示せぬ送受信部や表示装置等にも供給され、電話装置が使用可能な状態となる。
【００３４】
以上説明したように、本実施例の電話装置は、工場出荷時からショップにて電話番号を入力するまでの間は、電池１７０から電話装置内部の各回路へは数十μＡ程度（例えば、約２０μＡ）の電流が供給され、その電流のほとんどは第２レギュレータ１８０と電源制御回路１９０において消費される。
【００３５】
一方、ショップにて電話装置に電話番号が入力されると、電池１７０から電話装内部の各回路へは数百μＡ程度（例えば、３００μＡ）の電流が供給され、その電流は、第２レギュレータ１８０と電源制御回路１９０だけでなく、制御部１００と第１格納部１１０及び番号格納部１５０においても消費される。
【００３６】
このように、本実施例では、ショップにて電話装置に電話番号が入力されるまでは、電池電流は数十μＡ程度しか消費されず、工場出荷から数ヶ月の間は、ショップにて電話番号を入力する為の電池電力を維持することができる。この為、ショップにて電話装置に電話番号を入力する際に、電池残量が少ない為に一々電池を充電するという事態を低減することができる。
【００３７】
又、工場出荷時には、満充電時の約４０〜５０パーセント程度電池を充電して出荷すれば、電池性能の劣化を最小限に押さえることができる。
【００３８】
尚、本実施例では携帯電話装置を例に実施したが、ＰＨＳ（ＰｅｒｓｏｎａｌＨａｎｄｙｐｈｏｎｅ  Ｓｙｓｔｅｍ）等の電話番号を書き込む必要のある装置であれば同様に実施可能である。
【００３９】
【発明の効果】
本発明の電話装置は、電池性能を劣化させずに、長時間電池電力を維持することが可能である。
【図面の簡単な説明】
【図１】本発明を適用してなる実施例装置のブロック図である。
【図２】本実施例装置の動作を示すフロー図である。
【符号の説明】
１００  制御部
１１０  第１格納部
１５０  番号格納部
１６０  番号入力部
１７０  電池
１８０  第２レギュレータ
１９０  電源制御回路
【図１】
0003615484.tif 000002
【図２】
0003615484.tif 000003